Podtech/llm-jp-corpus-v4-ja_patent huggingface dataset:
(57)【特許請求の範囲】
【請求項１】
カメラレンズに装着して使用するカメラレンズキャップであって、
前記カメラレンズキャップの略中央に、星、お花、又はハートの形状を含む所定形状の型を抜いて前記レンズキャップと一体に形成された貫通孔から成る変形絞りと、
前記変形絞りに隣接して設けられ、当該変形絞りを覆うスライド式のカバーと、を備え、
前記スライド式のカバーの大きさが、前記カメラレンズキャップよりも小さいことを特徴とするカメラレンズキャップ。
【発明の詳細な説明】
【技術分野】
【０００１】  この発明は、変形絞りの機能を付けたカメラのレンズキャップに関するものである。
【背景技術】
【０００２】  従来、カメラの変形絞りをするには、カメラレンズの他に更にフィルターや絞り等の追加の機材をレンズに取り付ける必要があった。
【先行技術文献】
【特許文献】
【０００３】
【特許文献１】
【発明の概要】
【発明が解決しようとする課題】
【０００４】  このような従来の方法には、次のような欠点があった。
カメラレンズに専用のフィルターや絞り等を取り付けなければならず、撮影準備の際にもまたそれを保管する際にも手間がかかる事。
専用のフィルターや絞りを購入する時に生じる金銭的負担。
本発明は、以上の様な欠点を無くすためになされたものである。
【課題を解決するための手段】
【０００５】  カメラレンズキャップ（１）に変形絞りの型（２）をくり抜き、撮影をしない時は普通にカメラのレンズキャップとして使用出来るように、変形絞りの型を覆うカバー（３）を取り付ける。
ここでは変形絞りの型（２）の形はハート型にしてあるが、これは一つの例であり、他に星型やお花型等どんな形でも変形絞りの形は良い。
本発明は、以上の構成よりなる変形絞り付きカメラレンズキャップである。
【発明の効果】
【０００６】  カメラのレンズキャップと変形絞り機能が一体となっているので、変形絞りの型を覆うカバーを開けるだけで、手軽に変形絞りがきいた写真、即ち背景の点光源が変形絞りの型の形に暈けた写真が撮れる。
機材もレンズキャップという必要最小限度の物しか使っていないため、フィルターや絞り等追加の機材を購入したり取り付けたりする必要もない為、手軽に安価に変形絞りのきいた写真の撮影を楽しむ事が出来る。
写真撮影をしていない時は、レンズキャップとして使用する事が出来る。
【図面の簡単な説明】
【０００７】
【図１】本発明の正面図である。
【図２】本発明の正面図である。
【図３】本発明の背面図である。
【図４】本発明の背面図である。
【図５】本発明の使用状態を示した斜視図である。
【図６】本発明の使用状態を示した斜視図である。
【発明を実施するための形態】
【０００８】  以下本発明を実施するための形態について説明する。
カメラレンズキャップ（１）の中央に変形絞りの型（２）を抜く。
更に変形絞りの型を覆うカバー（３）を取り付ける。この変形絞りの型を覆うカバー（３）はスライド式である。
本発明は、以上の様な構造である。
これを使用する時は、カメラレンズ（４）にレンズキャップ（１）を被せたまま、変形絞りの型を覆うカバー（３）だけをスライドさせて開け、その後は普通にピントを合わせて写真撮影をすれば良い。
そうする事によって、点光源が変形絞りの型に暈けた写真が出来上がる。
【符号の説明】
【０００９】  １  カメラレンズキャップ
２  変形絞りの型
３  変形絞りの型を覆うカバー
４  カメラレンズ
【図１】
0006644383.tif 000002
【図２】
0006644383.tif 000003
【図３】
0006644383.tif 000004
【図４】
0006644383.tif 000005
【図５】
0006644383.tif 000006
【図６】
0006644383.tif 000007
(57)【特許請求の範囲】
【請求項１】
上辺縁の２ヶ所に長さの調節出来る吊り紐（７）を結びつけ，その途中を２つ折にした部分に紐止めストッパー（８）を設けたボード机（５）であって，前記ボード机（５）の表側に日除板（１６）を設け，裏側にクッシヨンシート（１２）を設けたことを特徴とするボード机。
【請求項２】
前記ボード机（５）の傾斜角度調整を前記紐止めストツパー（８）の２つ折り部分の僅かな出し入れにより可能としたことを特微とする請求項１に記載のボード机。
【発明の詳細な説明】
【技術分野】  この発明は，ノート・パソコン等載せ外国語会話を独りで学べるようにした学習用のボード机に関するものである。
【背景技術】  防音個室の無い大部屋の図書館等での学習では，私語，音読，居眠り，飲食は禁止され時々監視員から注意され，たゞテキスト等の黙読，書き，理解するだけの勉強では，日常会話の聞き，話す，又は講演等のスピードに付いて行けず内容の理解は困難であった。
【先行技術文献】
特許文献Ｎｏ    実開平７−２０８６号公報
【発明の概要】
【発明が解決しようとする課題】  これには次のような欠点があった。
外国語の学習で，読み，書き，理解して，更に会話等を誰にも懆ることなく，有声でテキスト等を何回も繰り返し，これを録音・録画し，再生したものを確認し訂正学習・マスター出来る場所は無かった。
本発明は，以上の欠点をなくすためにされたものである。
【課題を解決するための手段】  長方形のボード机（巾６０〜７０ｃｍ，奥行き４５〜５０ｃｍ，厚さ５ｍｍ）（５）の全周にコの字状縁（巾２ｃｍ，厚さ１．５ｃｍ）をつけ，その上辺縁に２ヶ所に孔（直▲径▼３ｍｍ）に吊り紐（太さ３ｍｍ，長さ１ｍ）（７）を通し，両端は裏で止め結び，次に紐（７）の途中を２つ折りにして，紐止めストッパー（直▲径▼１５ｍｍ，長さ２５ｍｍ，紐通し孔直▲径▼８ｍｍ）（８）に２５ｃｍ位引き出し，握り絞めてた両指を離すとリターンスプリング（１３）の復元力により，紐（７）はシッカリ締めつけられ，この状態の紐（７）を前座席後部に吊るし，下辺縁は後部座席の学習者の左右両大腿部に載せると，紐（７）の張力により３点支持の安定状態になり，傾斜角度（ボード机（５）の下辺縁を下腹部又は両大腿部に載せた水平基線とボード机（５）の狭角）調整（０〜４５°）は好みに合うように貫通紐（７）の僅かな出し・入れにより可能となり，筆記等は（０〜１５°），読書等は（１５〜４５°）にすればよい，又時として陽光の眩しいときは止め具（１７）×４ケを９０°廻して日除板（厚さ１ｍｍ，週辺縁の内法寸法より，２−３ｍｍ小さい）（１６）をドアガラスと防水パッキンの間に差し込めば遮光出来，不透明な塩化ビニル等のプラスチッ板でよい，又長時間使用による圧迫緩衝用クッションシート（巾５５〜６５ｃｍ，奥行き４０〜４５ｃｍ，厚さ３〜５ｃｍ）（１２）は低反▲撥▼ポリプロピレン（カバ付）が着脱可能な面テープ（１１）×６で取り付けられいる。
【発明の効果】  無脚のボード机なので移動可能な書斎・個室として好みの場所の公園等で暑いときは木漏れ陽のさす所，寒いときは陽溜りの▲静▼かな場所に駐車し，ボード机をセットして，外国語の文章や演説説等を音読・書き取り，会話のイントネーション・スピード・リズム・チャンク・ポーズ等を誰れにも懆ることなくマスター出来る迄繰り返し，途中トイレに行くときは学習用品を隣のの席に移し，ボード机を前座席裏に吊るせば左右どちらのドアから乗降自由となり，戻って更に継続学習すれば学効果は上り，外国人との対話，討論等も対等になり，引っ込み思案の態度も解消されるし，又生涯学習（自然科学，社会科学，人文科学）においてものびのびと読書に励み，その知識を実生活に役立つ「アイデア（インスピレーション）の発想・具像化することや，「エッセイ・随筆」等の創作の場としてのびのびと活用出来る場を提供出来る。
【発明を実施するための最良の形態】  以下，本発明を実施する為の最良の形態について説明する。
ボード机（５）の上辺縁の２ヶ所に長さの調節出来る吊り紐（７）を結びつけ，その途中を２つ折りにした部分に紐止めストッパー（８）を設け，表面に日除板（１６）を設け，裏側にクッションシート（１２）を設け，下腹部の水平基線とボード机の狭角の傾斜角度調整（０〜４５°）を紐止めストッパーの２つ折り部分の僅かな出し・入れにより行う。
本発明は，以上のような構造である。
【図面の簡単な説明】
【図１】  ヘッドレスト分離形の前座席後部に吊るしたボード机の正面図
【図２】  ヘッドレスト一体型の前座席後部に紐の緩み防止の為，クロス掛けにしたボード机正面図。
【図３】  ボード机の正面図（上），Ａ１−Ａ２断面図（下）。
【図４】  紐止ストッパ（８）のシリンダ（１５）とピストン（１３）を握り合せ，吊り紐（７）の２つ折り部を通した状態図。
【符合の設明】
１  ヘッドレスト
２  支柱×２
３  背凭れ
４  紐通し孔
５  ボード机（無脚）
６  座席
７  吊り紐
８  吊り紐ストッパー
９  床面
１０  嵩上げ縁
0006804724.tif 000002
【図１】
0006804724.tif 000003
【図２】
0006804724.tif 000004
【図３】
0006804724.tif 000005
【図４】
0006804724.tif 000006
(57)【特許請求の範囲】
【請求項１】
印鑑の偽造を防止する目的で、印鑑（１）の印字面（２）の文字体の一部（３）を残し、他の文字体や外枠を均一に削ることにより、文字体の一部（３）のみを０．０５ミリから０．３ミリ高くし、押印時に印影とともに用紙の裏面に印鑑毎に異なる印影の凹凸が生じる印鑑。
【請求項２】
印鑑の偽造を防止する目的で、印鑑（１）の印字面（２）の文字体の一部（３）に硬質な素材を接着することにより、０．０５ミリから０．３ミリ高くし、押印時に印影とともに用紙の裏面に印鑑毎に異なる印影の凹凸が生じる印鑑。
【発明の詳細な説明】
【技術分野】
【０００１】  この発明は、印鑑の印字面の文字体の一部を０．０５ミリから０．３ミリ程度、他の文字体や外枠よりも高くすることにより、押印時に通常の印影が写され、且つ、用紙の裏面には従来の印鑑では生じない凹凸が生じるため、印影と裏面の凹凸の両面を確認することで本物の印鑑で捺印されたことが判明できる印鑑に関するものである。
【背景技術】
【０００２】  従来、印鑑は押印時に用紙に表示されるのは印影のみであった。
【先行技術文献】
【特許文献】
【０００３】
【特許文献１】特開  ２００５―６６８３７号公報
【発明の概要】
【発明が解決しようとする課題】
【０００４】  従来の印鑑は、印影の一致のみで正当な印鑑と認識される為、印影の写しがあれば簡単に偽造されやすいという問題があった。
【課題を解決するための手段】
【０００５】  印鑑の印字面の文字体の一部を残し、他の文字体や外枠を０．０５ミリから０．３ミリ程度削る。若しくは文字体の一部に金属・木・石等の硬質な素材を接着若しくは塗ることにより、０．０５ミリから０．３ミリ程度高くする。本発明は、以上のような構成よりなる印鑑である。
【発明の効果】
【０００６】  捺印マットの弾力性と押印時に印字面全体に均一に圧力をかけることで、従来通り印影は鮮明に生じるが、用紙の裏面から見れば従来の印鑑では外枠の凹凸のみが鮮明になるのに対し、本発明の印鑑は高くした文字体の一部にだけ凹凸が生じる。
これは、押印時に捺印マットが圧縮される０．０５ミリから０．３ミリの段差を印鑑の一部の文字体に設けることで用紙の表側には印影、裏面には凹凸が生じることとなる。
凹凸の箇所は印鑑毎に異なるため、用紙の表側の印影と裏側の凹凸の両面を照合することで、正当な印鑑か否かを識別できる。
もし、偽造された印鑑で押印されたものであれば、用紙の裏面の凹凸と本物の印鑑で押印した凹凸とでは明らかな違いが生じる。
その為、万が一、記憶に無い借用書や遺言状等が出た場合、印影だけでは極めて真贋の判定が困難な事案でも用紙の裏面の凹凸の違いで偽造されたものか否かを証明出来る。
この印鑑が広く認知されれば印鑑の偽造が無意味となるため、犯罪の抑止力となる。
【図面の簡単な説明】
【０００７】
【図１】  本発明の斜視図である。
【図２】  本発明の正面図である。
【図３】  本発明の背面図である。
【図４】  本発明の左側面図である。
【図５】  本発明の右側面図である。
【図６】  本発明の平面図である。
【図７】  本発明の底面図である。
【発明を実施するための形態】
【０００８】  以下、本発明を実施するための形態について説明する。
印鑑（１）の印字面（２）の文字体の凸部（４）を他の文字体や外枠（３）よりも０．０５ミリから０．３ミリ程度高くする。
本発明は、以上のような構造である。これを使用するときは、捺印マットに用紙を置き、押印する。
【符号の説明】
【０００９】  １  印鑑
２  印字面
３  外枠
４  文字体の凸部
【要約】      （修正有）【課題】従来の印鑑は、印影の一致のみで正当な印鑑と認識される為、偽造されやすいという問題があった。【解決手段】印鑑１の印字面２の一部の印字部を他の印字部や外枠３よりも０．０５ミリから０．３ミリ程度高くすることにより、押印時に印影だけでなく、用紙の裏面に印鑑１毎に異なる凹凸が生じるため、表面の印影と裏面の凹凸の両面を照合することで本物の印鑑１で捺印されたことが判明できる。【選択図】図１【図１】
0006793362.tif 000002
【図２】
0006793362.tif 000003
【図３】
0006793362.tif 000004
【図４】
0006793362.tif 000005
【図５】
0006793362.tif 000006
【図６】
0006793362.tif 000007
【図７】
0006793362.tif 000008
(57)【特許請求の範囲】
【請求項１】
略平板状のマーカー本体２と、当該マーカー本体２の下部に、１本の手の指を挟んで嵌める間隔で配置した突起３を備え、前記突起３で指に嵌めて、携帯できるようにした事を特徴とするゴルフ用ボールマーカー。
【請求項２】
前記突起３は当該マーカー本体２の縁又は縁辺りから、下方に伸びる事を特徴とする請求項１に記載のゴルフ用ボールマーカー。
【請求項３】
前記突起３の長さは手の指の厚み程度であり、前記マーカー本体の内側に８度以内に傾斜し、先端は少し細くなっていることを特徴とする請求項１又は請求項２に記載のゴルフ用ボールマーカー。
【発明の詳細な説明】
【技術分野】
【０００１】
本発明は、ゴルフプレーにおいて使用されるボールマーカーに関する。          
【背景技術】
【０００２】
従来のゴルフ用ボールマーカーでは、携帯方法としてポケットに入れるかボールマーカーの保持具を身につけ、その保持具にボールマーカーをマグネットで取り付けて携帯している。          
【先行技術文献】
【特許文献】
【０００３】
【特許文献１】特開２００６−１８７３５４公報
【特許文献２】特開２００７−１７５１１５公報
【発明の概要】
【発明が解決しようとする課題】
【０００４】
ゴルフプレー中、ポケット内のマーカーが手探りでなかなか見つからずストレスを感じることがある。直径４０ミリ程度あるカジノチップマーカー等、大きなマーカーであればポケット内で見つけやすいが、カップ辺りでの大きなマーカーの使用はマナーに反することになる。また、ポケット以外の携帯方法としてはクリップ等のマーカー保持具を別に必要とする物がほとんどである。
本発明は、これらの問題解決のためマーカー自体の新しい形状によりポケットに入れることなく、そしてマーカーを携帯するための保持具を用いることなく、身に付けて持ち運ぶことが出来るボールマーカーを提供することを目的とする。  
【課題を解決するための手段】
【０００５】
略平板状のゴルフマーカー本体２と、当該マーカー本体２の下部に、指を挟んで嵌める間隔で配置した突起３を備え、前記突起３で指に嵌めて、携帯出来るようにした事を特徴とするゴルフ用ボールマーカー。
【０００６】
前記突起３は当該マーカー本体２の縁又は縁辺りから下方に伸びる事を特徴とする２本以上の突起３を備え、当該突起３で指に嵌めて携帯できるようにした事を特徴とするゴルフ用ボールマーカー。
【０００７】
前記突起３の長さは手の指の厚み程度であり、８度以内で前記マーカー本体の内側に傾斜し、先端は少し細くなっていることを特徴とするゴルフ用ボールマーカー。
【発明の効果】
【０００８】
本願発明に係るゴルフ用ボールマーカーは、手の指に嵌めて、ポケットに入れることなく、またマーカー保持具なしで指輪感覚でスタイリッシュに携帯できる。
【図面の簡単な説明】
【０００９】
【図１】本願発明に係るゴルフ用ボールマーカーの外観図である。
【図２】本願発明に係るゴルフ用ボールマーカーの底面図である。                （a）２本突起      （b）４本突起
【図３】本願発明に係るゴルフ用ボールマーカーの使用図である。
【発明を実施するための形態】
【００１０】
図１は本発明のゴルフ用ボールマーカー１の構成を示す外観図、図３は、本発明のゴルフ用ボールマーカーの使用図である。
ゴルフ用ボールマーカー１を指輪のように携帯して、プレー出来る。
本発明のゴルフマーカー１は、嵌める指の大きさに応じて、複数種類の大きさを設けるのがよい。
【００１１】
本発明に係るボールマーカーは、マーカー本体２と当該マーカー本体２
の縁、又は底面から下方に伸びる２本以上の突起３とで構成される。
（マーカー本体）
マーカー本体は、略平板状で、指に嵌める大きさであり、当該マーカー本体幅は指の基節幅の１００％から１２０％が好ましい。本発明のゴルフマーカー１を嵌める指幅によって異なる寸法をそろえる。また、マナーの観点から前記本体の厚みは３ｍｍ以内にする。    
ゴルフの規則にはマーカーの形状に関する規制はなく、マーカー本体２は円形、楕円、多角形等の種々の形状が考えられる。  
【００１２】
（突起）
突起３は、指に安定して嵌めるため偶数本が好ましい。図２は２本突起と４本突起の実施例で、ゴルフ用ボールマーカーの底面図である。
（２本突起の場合）
図２（a)のように、マーカー本体２の下部に、指を嵌める間隔で離して備え、マーカー本体の大きさが指の大きさとほぼ同じであれば、マーカー本体の縁又は縁辺りに２本を離して備える。離された前記２本の突起の先端から先端の寸法は、指の基節の平面視の幅７５％から９５％の範囲で、本発明のゴルフ用ボールマーカーを無理なく脱着できる幅とすることが好ましい。
（4本突起の場合）
図２（ｂ）のように、（a）の２本の突起と、ほぼ同じ２本の突起を前後に８ミリ程度間をおいて配置する。
【００１３】
（突起の寸法と形状）
突起３は芝へ差し込む時の負荷を考慮し、当該突起の元部分では厚み２ミリ幅５ミリ程度とし、先端は幅２ミリ程度と先細りしているが、脱着時に指を傷付けないように丸みをおびていることが好ましい。
突起３の長さは指の基節の厚み７５％から１００％で、抜け落ちをなくすため、前記マーカー本体２の内側に８度以内で傾斜することが好ましく、指に嵌められた本発明のゴルフ用ボールマーカー１は指の肉の弾力と前記突起の傾斜によってしっかりと保持される。
【００１４】
（素材）
マーカー本体２と突起３の素材は、耐候性のある適度な硬さを持った樹脂や金属等が考えられ、強度や成形コスト面を考えると一体成型が好ましい。
樹脂の場合は当該本体２の上面仕上げ方法として、金型製作時に凹凸を利用したデザインを施し成形したり、グラフィック印刷等によるデザインが考えられる。金属の場合は鉄にメッキ、ステンレスのへアラインや鏡面仕上げ、銀、等安価な物から高価な物までを使い分け、また装飾パーツをデコレーションしたものまで様々なデザインが可能である。  
【符号の説明】
【００１５】
１    ゴルフ用ボールマーカー    
２    マーカー本体
３    突起              
３１  突起先端    
【要約】      （修正有）【課題】従来のゴルフ用ボールマーカーでは、携帯方法としてポケットに入れるかボールマーカーの保持具を身につけ、その保持具にボールマーカーをマグネットで取り付けて携帯する。本発明は、マーカーを携帯するための保持具を用いることなく、身に付けて持ち運ぶことが出来るボールマーカーを提供する。【解決手段】ボールマーカー１は、略平板状のマーカー本体２と、マーカー本体２の下部に、指を挟んで嵌める間隔で配置した突起３を備え、突起３で指に嵌めて、携帯出来るようにした。【選択図】図１【図１】
0006793293.tif 000002
【図２】
0006793293.tif 000003
【図３】
0006793293.tif 000004
(57)【特許請求の範囲】
【請求項１】
セキュリティチェックシステムにおいて、左右別々の壁面、たとえばドアと壁側の壁面より各々突き出したプレートを設置し、両プレートに渡してテープを設置してあるセキュリティチェックシステム。
【請求項２】
請求項１記載のセキュリティチェックシステムは、たとえば、接着剤で設置するか、もしくは作りつけにより設置し、外れないものであり、そして、外した場合は、外したことが明確に判断できることを特徴とするセキュリティチェックシステム。
【請求項３】
請求項１又は２記載のセキュリティチェックシステムにおいて、セットしたテープは、外れない、そして、外した場合、外れた場合は、それが明確にわかることを特徴とするセキュリティチェックシステム。
【請求項４】
請求項１〜３いずれかに記載のセキュリティチェックシステムにおいて、テープ部分は、紙またはそれに類似したものとし、これらには直筆による氏名、自分で彫った印などを入れ、特定化することを特徴とするセキュリティチェックシステム。
【請求項５】
請求項１〜４いずれかに記載のセキュリティチェックシステムのテープには、両端に突、すなわち凸を設けプレートには、突すなわち凸にあった径の穴を設けることを特徴とするセキュリティチェックシステム。
【請求項６】
請求項５記載のセキュリティチェックシステムのテープ部と、突すなわち凸部分は、一体化したことを特徴とするセキュリティチェックシステム。
【請求項７】
請求項１〜６いずれかに記載のセキュリティチェックシステムにおいて、電気機器等は使用せず、故障はしないことを特徴とするセキュリティチェックシステム。
【請求項８】
請求項１〜６いずれかに記載のセキュリティチェックシステムにおいて、ボックスが取り付けられ、そこに夜等暗がりでも判別できるようにするための電気等たとえば電燈が設けられることを特徴とするセキュリティチェックシステム。
【請求項９】
請求項１〜８いずれかに記載のセキュリティチェックシステムにおいて、ボックスが取り付けられ、雨等による破損のないことを特徴とするセキュリティチェックシステム。
【発明の詳細な説明】
【技術分野】
【０００１】
【背景技術】
【０００２】高度な機械技術、電子機器技術による鍵が開発されているにもかかわらず、盗難がなくならない。
ピッキング等による盗難、セキュリティーシステムによる警備会社の人員の限界。
【先行技術文献】
【特許文献】
【０００３】
【特許文献１】  特開平０８−０６０９１４号広報
【特許文献２】  特開２０１０−１２３０１３号広報
【発明の概要】
【発明が解決しようとする課題】
【０００４】  以前、自宅に泥棒が入った形跡があり、被害はなかったが、室内のものが動いている様子でした。鍵はかかっていました。その後、鍵は変えたのですが、帰ってきたときに、もし鉢合せをしたら怖い、泥棒が入って、盗みを働いた後、鍵を閉めて出られたら、盗まれたことが分からないと思い、鍵が開けられた、ドアが開けられた時点で、それがわかるようにしておく手段が必要と思われた。侵入に気づかれずに、多数回に渡っているかもしれない悪質な盗難を防止する必要がある。鍵会社（有名メーカー）に聞くと、鍵は、落とした時、置き忘れた時など、ナンバーを控えられたら合鍵を作られてしまいます。最近の先端技術に対するピッキング事故の発生も耐えません。
【課題を解決するための手段】
【０００５】  ドアが開いた時点で侵入がわかるもの。付け外しができれば、泥棒も付け外しをするので、ドアが開いた時点で外れたことが分かるもの、また、壊れるもの。鍵は現在の技術では。通常のカギ、ディンプルキーもセキュリティ―効果は大差がないというカギ会社のコメントより、ピッキング技術とのいわゆる「イタチごっこ」ではないピッキング防止を考えたときに、付け外しができなくてドアが開いた時点で外れたことが分かるもの、
または、壊れるものが最適であると判断した。外れた後、壊れた後、セットし直しができないように、紙またはそれに類似したものに、名前、印などを施す。これは、直筆による氏名、自分で彫った印などを使用し特定化する。
ドアの場合、ドアと壁側の壁面より各々突き出したプレートを設置し、両プレートに渡して紙またはそれに類似したものでつくったテープを設置する。ドアと壁側の壁面には、たとえば接着剤で設置するか、もしくは作りつけで設置し、外れないものであり、外した場合は、外したことが明確に判断できるものとし、無理に外せば壊れるものである。そして、テープには突すなわち凸部分を設け、プレートにはテープの突すなわち凸部分の径にあった穴を設け、図１，２のようにセットする。これで、テープは引きもどせないので、付け外しができない。ドアが開いた時点で外れたことがわかるし、直筆による氏名、自分で彫った印などを入れて特定化してあるので、セットし直しができないし、本人以外の者が外した場合、他の原因で外れた場合は、それが明確にわかる。また、無理をして外そうとすれば壊れてしまう。
ピッキング技術は、電気機器等に対するものなので、セキュリティチェックシステムは、電気機器等は使用せず、また、上記の特徴から使用する必要がない。そして故障することもない。
そして、図３のようにボックスをとりつけ、そこに電気等たとえば電燈を設ければ、夜等暗がりでも判別ができるし、雨等による破損もなくなる。
【発明の効果】
【０００６】盗難にあったのがすぐ分からなかったという状況の排除。中での鉢合わせの防止。セキュリティー会社と２重の防犯になる（機械の故障  事故の発生から現場までの警備員が着くまでのタイムラグ）。安価である。多くの方に安全な暮らしを提供できる
【図面の簡単な説明】
【０００７】
【図１】本発明のセキュリティチェックシステムを正面から見た図。
【図２】本発明のセキュリティチェックシステムを正面から見た斜視図である。
【図３】図２のセキュリティチェックシステムにボックスをつけ、雨等による破損を避けた図である。
【図４】セキュリティチェックシステムのテープ部の詳細図である。
【発明を実施するための形態】
【０００８】  左右別々の壁面、たとえばドアと壁側の（１）壁面から突き出したプレートＡ，Ｂを設置、（３）突すなわち凸を付けた（２）紙またはそれに類似したものでつくったテープをセットする。紙またはそれに類似したものでつくったテープはセットした後は、外れない。そして、外した場合、外れた場合は、それが明確にわかること。ドアを開ければ、外れる、もしくは壊れる。
【実施例】
【０００９】鍵を使う場所であれば、そのチェックシステムとして取り付けられる。左右、上下を連結するものとしても、使用できる。
【産業上の利用可能性】
【００１０】産業用ロボットのリミッター。
【図１】
0006739745.tif 000002
【図２】
0006739745.tif 000003
【図３】
0006739745.tif 000004
【図４】
0006739745.tif 000005
(57)【特許請求の範囲】
【請求項１】
天板と周壁とから成るエンドキャップと、このエンドキャップの周壁を端部に挿入配置したレール本体とが備えられたガソリン直噴レールにおいて、レール本体の端部内周にエンドキャップの周壁が位置するとともに、この周壁の内周面とレール本体の内周面との境界部分に形成される段差をｈ、レール本体の肉厚Ｔとした場合に、ｈ/Ｔの値が、0＜ｈ/Ｔ≦0.25であって、上記レール本体は、端部の内周面にエンドキャップの周壁が配置されたことを特徴とするガソリン直噴レール。
【発明の詳細な説明】
【技術分野】
【０００１】
本発明は、レール本体の端部にエンドキャップを固定配置したガソリン直噴レールに関するものである。
【背景技術】
【０００２】
従来より、特許文献１に示す如く、レール本体の端部にエンドキャップを挿入配置したガソリン直噴レールが知られている。そして、このような従来のガソリン直噴レールの中でも、図４に示す如く天板(61)と周壁(62)とから成る断面コ字型のエンドキャップ(63)を設けたものが既に使用されている。そしてこのガソリン直噴レールは、エンドキャップ(63)の周壁(62)をレール本体(64)の端部(65)内周にろう付けにて固定配置している。
【特許文献１】特開２０１６−３７９２８号公報
【発明の概要】
【発明が解決しようとする課題】
【０００３】
しかしながら、このような断面コ字型の従来のエンドキャップ(63)は、その周壁(62)の肉厚が厚いものが一般的に使用されていた。そのため、このようなエンドキャップ(63)の周壁(62)をレール本体(64)の端部(65)内周に固定配置した場合には、レール本体(64)の内周面(66)と周壁(62)の内周面(67)との間の境界部分(68)に大きな段差が形成されてしまうものとなる。
そのためこのように大きな段差を備えたレール本体(64)の内部に圧力を付加した場合には、この段差部分において図５に示す如くレール本体(64)が変形するものとなる。即ちこの圧力付加によってレール本体(64)は半径方向に拡径し変形するため、上記レール本体(64)の内周面(66)と周壁(62)の内周面(67)との境界部分(68)に過大な負荷が集中してかかるものとなる。そのため、今後ガソリン直噴システムの高圧化が進んで燃料圧力が高くなった場合には、更に大きな負荷が上記境界部分(68)に集中してかかるものとなるため、この境界部分(68)からレール本体(64)の破損が生じるおそれがある。
【０００４】
そこで、本発明は上記の如き課題を解決しようとするものであって、レール本体内に高い圧力が付加された場合であっても、レール本体とエンドキャップとの間の境界部分に集中して大きな負荷が生じにくいものとし、この境界部分の破損を防ぐことができるものを得ようとするものである。
【課題を解決するための手段】
【０００５】
本願発明は、天板と周壁とから成るエンドキャップと、このエンドキャップの周壁を端部に挿入配置したレール本体とが備えられたガソリン直噴レールにおいて、レール本体の端部内周にエンドキャップの周壁が位置するとともに、この周壁の内周面とレール本体の内周面との境界部分に形成される段差をｈ、レール本体の肉厚Ｔとした場合に、ｈ/Ｔの値を、0＜ｈ/Ｔ≦0.25としたものである。
【０００６】
ここで、周壁の内周面とレール本体の内周面との境界部分に形成される段差をｈ、レール本体の肉厚をＴとした場合に、ｈ/Ｔの値とエンドキャップの破壊圧力の大きさとの相関関係について試験を行った。尚、上記「エンドキャップの破壊圧力」とは、エンドキャップを破壊するために必要な圧力を意味し、レール本体の内周面と周壁の内周面との境界部分に段差がないｈ/Ｔ＝０のときの破壊圧力を１００％とした時の比率を意味する。そしてこの試験の結果を図３に示す。この試験の結果、ｈ/Ｔ≦0.25の範囲でエンドキャップの破壊圧力は90％以上を示し、顕著に向上することが明らかとなった。
【０００７】
上記の結果から、ｈ/Ｔの値を0＜ｈ/Ｔ≦0.25とすることにより、レール本体への圧力付加時にこの境界部分に集中して負荷がかかりにくいものとなる。そのため、高い圧力を付加した際にも境界部分における破損を防ぐことが可能となる。
【０００８】
また、レール本体は、端部の内周面にエンドキャップの周壁が配置されたものである。これにより、レール本体の内周に加工を施す必要がないため、製造を容易なものとすることができる。
【発明の効果】
【０００９】
本願発明は上記の如く、レール本体の内周面と周壁の内周面との境界部分に段差がない構造、あるいは周壁の内周面とレール本体の内周面との境界部分に形成される段差をｈ、レール本体の肉厚Ｔとした場合に、ｈ/Ｔの値を、0＜ｈ/Ｔ≦0.25とした構造とすることにより、レール本体への圧力付加時にこの境界部分に集中して負荷がかかるという事態を回避することができる。そのため、レール本体内に高い圧力を付加した際にも、周壁の内周面とレール本体の内周面との境界部分における破損を防ぐことができる。
【図面の簡単な説明】
【００１０】
【図１】実施例１を示す部分拡大断面図。
【図２】図１の圧力付加時の部分拡大断面図。
【図３】試験結果を示すグラフ。
【図４】従来例を示す部分拡大断面図。
【図５】図４の圧力付加時の部分拡大断面図。
【実施例１】
【００１１】
実施例１について以下に説明すると、本実施例のレール本体(21)は円筒状であって、図１に示す如く内周面(27)に凹部等を形成するなどの加工を施していない。そしてこのレール本体(21)の端部(22)内周にエンドキャップ(23)を固定配置している。このエンドキャップ(23)は、天板(24)と周壁(25)とから成るものであって、その周壁(25)を上記レール本体(21)の端部(22)内周に挿入配置している。
【００１２】
そして図１に示す如く、この周壁(25)の内周面(26)とレール本体(21)の内周面(27)との段差をｈ、レール本体(21)の肉厚をＴとした場合に、ｈ/Ｔの値を0.2としている。そのため、本実施例ではｈ/Ｔの値が0＜ｈ/Ｔ≦0.25の範囲内にあることから、レール本体(21)内に圧力を付加した際に、図２に示す如くレール本体(21)が半径方向に拡径するものとなるが、周壁(25)の内周面(26)とレール本体(21)の内周面(27)との境界部分(28)に集中して負荷がかかりにくいものとなる。そのため、今後ガソリン直噴システムにおける高圧化が進んで燃料圧力が高くなった場合でも、高い圧力の付加に起因する境界部分(28)における破損を防ぐことが可能となる。
【００１３】
また上記の如く、レール本体(21)の内周面(27)に凹部を形成することなく、エンドキャップ(23)の周壁(25)を配置したものであるから、レール本体(21)の内周に加工を施す必要がないため、製造を容易なものとすることができる。
【符号の説明】
【００１４】
21  レール本体
22  端部
22  エンドキャップ
24   天板
25   周壁
27   内周面(レール本体)
26   内周面(周壁)
28   境界部分
【図１】
0006788431.tif 000002
【図２】
0006788431.tif 000003
【図３】
0006788431.tif 000004
【図４】
0006788431.tif 000005
【図５】
0006788431.tif 000006
(57)【特許請求の範囲】
【請求項１】
刈り払い刃のなめらかな外周とした真円状の板状体を母板と称して、その母板の外周よりも５ｍｍ以下にやや突き出る刃先を一部とする切断刃が母板の上面に軸支され、その先端側の該刃先が外周より突き出る状態における他端側と重なる母板の部分を、前記軸支の領域を残して切除し、その切除部を粘り付く液をもたらす雑草の排除孔とした母板。
【請求項２】
外周より突き出る刃先の状態における切断刃を、刈り払い回転方向の後方に最大９０度自転させて重なる母板の部分を切除した、請求項１記載の母板。
【発明の詳細な説明】
【技術分野】
【０００１】軸支された切断刃と重なる母板の部分を一部切除して、刈り払い回転により母板と切断刃との間に侵入して破砕されて、粘り付く液をもたらす雑草の排除孔に関する。
【背景技術】
【０００２】雑草等の刈り払い作業回転における刈り払い刃の母板と切断刃とが重なる部分の間に侵入した汁気の多い雑草の破砕液がその両面に粘り付いて、刈り払い回転中における軸支された切断刃の自転運動を阻害し刈り払い機能を失わせた。
この発明は出願番号特願２０１８−１５５００５における微力化した回転切断力の刈り払い作業に対応したものである。
重心近くで軸支取り付けされて微力化した切断刃は刈り払い当接物に対する当接エネルギーは微力化しながらも、刈り払い対象物に対する刈り払い能力は有していた
【発明の開示】
【発明が解決しようとする課題】
【０００３】そうして刈り払い当接物に接触すれば、刈り払い刃の回転遠心力を受けた母板と切断刃の両接触面には特に春の若草等、汁気の多い雑草が侵入して破砕され、その両面を粘着接合して、ついには切断刃の刃先は母板の外周よりも内周域に押し込められたままとなって刈り払い能力失い、以後、頻繁に起こる当該粘着接合をそのつど除去しない限り雑草の刈り払い作業の続行が不能となった。
【課題を解決するための手段】
【０００４】  以上、問題解決のため、刈り払い刃のなめらかな外周の真円状の板状体を母板と称して、その母板の外周よりも５ｍｍ以下にやや突き出る先端部側の刃先を一部とする切断刃が母板上面に軸支されるにおいて、その軸支部よりも他端部側の、切断刃と重なる母板の部分を、前記軸支の領域を除外して切除し、同様に母板の真円状中心対側の等距離にも前記切断刃と同様軸支の領域を除外して切除して、前記切除に対する回転バランサーとした。【０００５】  また、軸支された切断刃が刈り払い回転方向の後方に最大９０度自転して重なる母板の部分を前記様切除した場合、切断刃の縁と母板の切除部分周囲との乖離がより大きくなり、大きめの進入雑草も排出が可能となる。
なお、鋸刃タイプ等従来刃においても、当件母板たる円板を各所切除したものはあったが、その目的は単に円板自体の軽量化を図るものであり、そもそもそれらは単枚板の刈り払い作業用であるから、軸支回転する切断刃が母板上面に重ねられて刈り払い作業を行うという本発明の機能とは、合致しないものである。
【発明の効果】
【０００６】以上本発明の切断刃と重なる母板の一部を排除孔としたから、刈り払い回転により切断刃と母板との間に侵入した雑草は速やかに排出され、切断刃と母板同士が粘り付くこともなくなった。
本発明の実施の一例の形態を図１、に基づいて説明する。
【図面の簡単な説明】
【０００７】
【図１】装着孔４のある刈り払い刃の真円状の母板１の上面１１の取り付け孔４０に裏面からねじ嵌合したボルト４０１が上面１１で切断刃２を切断刃孔２２で軸支して確保し、滑らかな外周１３よりも１ミリ先端側４１に突き出した刃先としての超硬質合金のチップ３１を装着して刈り払い回転方向６に回転して雑草を刈り払えば、母板１と切断刃２の取り付け隙間に雑草が不如意に侵入して破砕され該隙間に粘着して切断刃２の自由な軸支回転を阻害し刃先の超硬質合金のチップ３１は内周域に固着したままとなり、刈り払い機能を発揮できなくなることに対処して外周１３より突き出る状態における切断刃２に重なる母板１の部分の軸支領域１０以外の他端側４２の部分を切除して切断刃２に覆われて図示外位置にある排除孔１１０とし、及びその対側の等距離にも排除孔１１０１を設けている現状図に加えて、前記同様、その対側の取り付け孔４０にも裏面からボルト４０１をねじ嵌合して上面１１に別途の切断刃を切断刃孔２２で軸支して排除孔１１０１にかぶせれば、刈り払いにおける回転バランスが保たれ、雑草が侵入しても各排除孔から速やかに排出されて母板１と切断刃２との両面を粘着させることもなくなり、さらに、前記軸支領域１０以外において、回転方向６から４５度後退した場合の排除孔１１２とその対側等距離の排除孔１１２１、や同最大９０度後退した部分まで面積を広げた排除孔１１３とその対側の等距離の、同排除孔１１３１の対側同士の各組において各排除孔とチップ３１が外周１３よりも１ミリ先端側４１に突き出した形状の前記切断刃２の外端が軸支回転後退すれば刈り払われた雑草のうちの一部は排除孔を通過して前記両面を粘着させることもなく、また、母板１と切断刃２とが重なる部分の間に侵入した雑草はいずれも速やかに排除されるため、切断刃２と母板１が互いに粘り付くことがなくなる概略説明図。なお、文中最大９０度後退とは切断刃の自由自転後退角度９０度未満に対応して最大９０度後退としており、また、図面は、概略視点からの略図である。
【符号の説明】
【０００８】１      母板
２      切断刃
４      装着孔
６      回転方向
１０    軸支領域
１１    上面
１３    外周
２２    切断刃孔
３１    チップ
４０    取り付け孔
４１    先端側
４２    他端側
１１０  切断刃２に覆われている排除孔。
１１２  ４５度後退した排除孔
１１３  ９０度後退した部分まで広げた排除孔
４０１    ボルト
１１０１  排除孔
１１２１  排除孔
１１３１  排除孔
【要約】      （修正有）【課題】刈り払い刃の真円状の母板と切断刃の間に雑草等が侵入して、双方間に粘り付く切断液により切断刃の切断機能を失わせる場合があった。【解決手段】切断刃との間の母板を一部切除した排除孔として双方に粘り付く雑草を排出した。【選択図】図１【図１】
0006788174.tif 000002